【手続補正書】
【提出日】平成31年4月11日(2019.4.11)
【手続補正１】
【補正対象書類名】特許請求の範囲
【補正対象項目名】請求項８
【補正方法】変更
【補正の内容】
【請求項８】
前記切削工具で被削材を切削加工したときの切削温度に係る情報を取得する温度情報検出装置を更に備え、
前記工具情報記憶部は、更に、前記係数ｎ及び係数Ｃに対応した前記切削温度に係る情報を記憶するように構成され、
前記余命情報更新部は、前記係数認識処理において、実切削加工に対応する係数ｎ及び係数Ｃが工具情報記憶部に記憶されていない場合に、前記温度情報検出装置によって取得された切削温度情報を基に前記工具情報記憶部を参照して、実切削加工に対応した前記係数ｎ及び係数Ｃを推定し、推定した係数ｎ及び係数Ｃを用いて前記更新処理を実行するように構成されていることを特徴とする請求項４又は５記載の加工管理装置。
【手続補正２】
【補正対象書類名】特許請求の範囲
【補正対象項目名】請求項１５
【補正方法】変更
【補正の内容】
【請求項１５】
前記余命情報更新部は、工具寿命に至った切削工具が確認された場合、外部に報知するように構成されていることを特徴とする請求項４乃至１４記載のいずれかの加工管理装置。
【手続補正３】
【補正対象書類名】明細書
【補正対象項目名】００２６
【補正方法】変更
【補正の内容】
【００２６】
このように構成された加工管理装置では、適応切削速度算出部において、工具情報記憶部に格納された補正係数を用いて前記希望切削時間が補正され、補正された希望切削時間を基に、これに適応した切削速度が算出される。例えば、適応切削速度Ｖａは、下式によって算出される。
Ｖａ＝Ｃ／（Ｔａ・ｋ）ｎ
ここに、Ｔａは希望切削時間、Ｖａは希望切削時間Ｔａに適応した切削速度、ｋは任意に設定される補正係数である。
【手続補正４】
【補正対象書類名】明細書
【補正対象項目名】００４６
【補正方法】変更
【補正の内容】
【００４６】
ここで、標準切削速度をＶｓ、この標準切削速度Ｖｓで加工したときの標準寿命時間をＴｓとし、或る切削速度Ｖ１で加工したときの寿命時間をＴ１とすると、上記Ｔａｙｌｏｒの寿命方程式から、次式が成立する。
Ｖ１・Ｔ１ｎ＝Ｖｓ・Ｔｓｎ＝Ｃ
これを変形することで、切削速度Ｖ１で加工したときの寿命時間Ｔ１は、次式によって表される。
Ｔ１＝Ｔｓ・（Ｖｓ／Ｖ１）１／ｎ
このように、標準切削速度Ｖｓ及び標準寿命時間Ｔｓが判明している場合には、係数Ｃが判明していない場合でも、これらと係数ｎを用いて寿命時間を算出することができ、算出した寿命時間を用いて前記寿命消費率を算出することができる。
尚、実切削時間をｔとした場合の寿命消費率ｔ／Ｔ１は、
ｔ／Ｔ１＝ｔ／（Ｔｓ・（Ｖｓ／Ｖ１）１／ｎ）
となる。
【手続補正５】
【補正対象書類名】明細書
【補正対象項目名】００４８
【補正方法】変更
【補正の内容】
【００４８】
この加工管理装置では、切削工具の摩耗状態がその送り量、切込み幅や切込み深さに応じて異なる場合に、これを考慮したより正確な余命情報が得られるとともに、上記第６の態様と同様に、余命情報更新部の更新処理では、切削工具の実切削速度、実切削時間、標準切削速度、標準寿命時間及び係数ｎを基に、対応する切削工具の寿命消費率が算出されるので、係数Ｃが判明していない場合でも、標準切削速度、標準寿命時間及び係数ｎを用いることで寿命時間を算出することができ、算出した寿命時間を用いて寿命消費率を算出することができる。
【手続補正６】
【補正対象書類名】明細書
【補正対象項目名】００４９
【補正方法】変更
【補正の内容】
【００４９】
（第８の態様）
第８の態様に係る加工管理装置は、前記第４又は第５の態様の加工管理装置において、
前記切削工具で被削材を切削加工したときの切削温度に係る情報を取得する温度情報検出装置を更に備え、
前記工具情報記憶部が、更に、前記係数ｎ及び係数Ｃに対応した前記切削温度に係る情報を記憶するように構成され、
前記余命情報更新部が、前記係数認識処理において、実切削加工に対応する係数ｎ及び係数Ｃが工具情報記憶部に記憶されていない場合に、前記温度情報検出装置によって取得された切削温度情報を基に前記工具情報記憶部を参照して、実切削加工に対応した前記係数ｎ及び係数Ｃを推定し、推定した係数ｎ及び係数Ｃを用いて前記更新処理を実行するように構成される。
【手続補正７】
【補正対象書類名】明細書
【補正対象項目名】００８６
【補正方法】変更
【補正の内容】
【００８６】
例えば、切削速度Ｖ１でｔ１時間加工し、ついで、切削速度Ｖ２でｔ２時間加工し、次に切削速度Ｖ３でｔ３時間加工して当該切削工具が寿命に至ったとすると、切削速度Ｖ１でｔ１時間加工した後の余命率Ｂ１は、以下で表わされる。
Ｂ１＝（Ｔ１−ｔ１）／Ｔ１＝１−（ｔ１／Ｔ１）
尚、Ｔ１は切削速度Ｖ１で連続加工したときの寿命時間であり、ｔ１／Ｔ１は寿命の消費率として把握される。
【手続補正８】
【補正対象書類名】明細書
【補正対象項目名】００９７
【補正方法】変更
【補正の内容】
【００９７】
或いは、余命情報更新部６は、認識された寿命影響因子情報に対応した係数ｎ及び係数Ｃが工具情報記憶部３に格納されていない場合に、当該寿命影響因子情報に対応した色相が格納されている場合には、前記温度情報検出部８によって検出された実加工における色相データを当該温度情報検出部８から取得し、取得した色相データを基に工具情報記憶部３を参照して、当該実加工における色相と同じ色相、又は当該実加工の色相に近似した色相の係数ｎ及び係数Ｃを、当該寿命影響因子情報（被削材、各切削工具及びその切込み幅）に対応した係数ｎ及び係数Ｃとして認識する。
【手続補正９】
【補正対象書類名】明細書
【補正対象項目名】００９９
【補正方法】変更
【補正の内容】
【００９９】
この寿命消費率の算出方法、及びは余命率の算出方法は上述した通りであるが、念のため、再度簡単に説明すると、例えば、切削速度Ｖ１でｔ１時間加工し、ついで、切削速度Ｖ２でｔ２時間加工し、次に切削速度Ｖ３でｔ３時間加工して当該切削工具が寿命に至った場合、切削速度Ｖ１でｔ１時間加工した後の余命率Ｂ１、次に切削速度Ｖ２でｔ２時間加工したときの余命率Ｂ２、その後に切削速度Ｖ３でｔ３時間加工したときの余命率Ｂ３は、それぞれ以下となる。尚、この場合の余命率Ｂの初期値は、ｋを補正係数として、１／ｋである。
Ｂ１＝１／ｋ−（ｔ１／Ｔ１）
Ｂ２＝Ｂ１−（ｔ２／Ｔ２）＝１／ｋ−（ｔ１／Ｔ１）−（ｔ２／Ｔ２）
Ｂ３＝Ｂ２−（ｔ３／Ｔ３）＝１／ｋ−（ｔ１／Ｔ１）−（ｔ２／Ｔ２）−（ｔ３／Ｔ３）＝０
尚、Ｔ１は切削速度Ｖ１で連続加工したときの寿命時間、Ｔ２は切削速度Ｖ２で連続加工したときの寿命時間、Ｔ３は切削速度Ｖ３で連続加工したときの寿命時間であり、係数ｎ及び係数Ｃを用いてそれぞれ下式によって算出される。
Ｔ１＝（Ｃ／Ｖ１）１／ｎ
Ｔ２＝（Ｃ／Ｖ２）１／ｎ
Ｔ３＝（Ｃ／Ｖ３）１／ｎ
また、ｔ１／Ｔ１、ｔ２／Ｔ２、ｔ３／Ｔ３はそれぞれ寿命消費率である。
【手続補正１０】
【補正対象書類名】明細書
【補正対象項目名】０１０２
【補正方法】変更
【補正の内容】
【０１０２】
また、前記工具情報記憶部３に、実加工における寿命影響因子情報に対応した係数Ｃが格納されておらず、また、これらに対応した標準切削速度、標準寿命時間及び係数ｎも格納されていない場合において、当該寿命影響因子情報に対応した色相が格納されている場合には、上述したように、余命情報更新部６は、係数認識処理において、前記温度情報検出部８によって検出された実加工における色相データを当該温度情報検出部８から取得し、取得した色相データを基に工具情報記憶部３を参照して、当該実加工における色相と同じ色相、又は当該実加工の色相に近似した色相の係数ｎ及び係数Ｃを、当該寿命影響因子情報に対応した係数ｎ及び係数Ｃとして認識する。この場合、余命情報更新部６は、このようにして認識された係数ｎ及び係数Ｃを用いて実加工による寿命消費率を算出し、算出した寿命消費率を用いて前記余命情報記憶部４に記憶された余命率を更新する。
【手続補正１１】
【補正対象書類名】明細書
【補正対象項目名】０１０３
【補正方法】変更
【補正の内容】
【０１０３】
4)外部報知処理
余命情報更新部６は、余命情報記憶部４に記憶された各切削工具の余命率を更新することにより、当該余命率が「０」となった切削工具が確認された場合には、当該切削工具が寿命に至ったと認識して、当該切削工具が寿命に至ったことを外部に報知する（外部報知処理）。外部報知の態様としては、前記表示制御９を介した前記ディスプレイ１２へのアラーム表示を例示することができる。
【手続補正１２】
【補正対象書類名】明細書
【補正対象項目名】０１０５
【補正方法】変更
【補正の内容】
【０１０５】
具体的には、適応切削速度算出部５は、まず、前記入出力装置１３を介してオペレータが入力する、加工条件としての寿命影響因子に係る情報（被削材、切削工具及び切込み幅）並びに希望切削時間に係る情報を受け付け、受け付けた寿命影響因子に係る情報を基に前記工具情報記憶部３を参照して、該寿命影響因子情報に応じた前記係数ｎ及び係数Ｃを認識するとともに、前記余命情報記憶部４を参照して当該切削工具に応じた余命率を認識する。
【手続補正１３】
【補正対象書類名】明細書
【補正対象項目名】０１０６
【補正方法】変更
【補正の内容】
【０１０６】
そして、適応切削速度算出部５は、認識した係数ｎ、係数Ｃ及び余命率Ｂａを基に、前記寿命方程式に準じて、即ち、下式に従って、前記希望切削時間に適応した切削速度を算出し、算出した切削速度に係る情報を前記表示制御部９を介して前記ディスプレイ１２に表示する。
Ｖａ＝Ｃ（Ｂａ／Ｔａ）ｎ
ここに、Ｔａは希望切削時間、であり、Ｖａは希望切削時間に適応した切削速度である。
【手続補正１４】
【補正対象書類名】明細書
【補正対象項目名】０１１６
【補正方法】変更
【補正の内容】
【０１１６】
また、前記余命情報更新部６において寿命消費率を算出する際に、対象となる被削材、工具材質及び切込み幅（寿命影響因子）に対応した係数Ｃが工具情報記憶部３に格納されていない場合でも、これらに対応する標準切削速度Ｖｓ、標準寿命時間Ｔｓ及び係数ｎが格納されている場合には、これらを用いて寿命消費率を算出するようにしているので、工具寿命管理を柔軟に行うことが可能となっている。
【手続補正１５】
【補正対象書類名】明細書
【補正対象項目名】０１２３
【補正方法】変更
【補正の内容】
【０１２３】
また、この場合、前記適応切削速度算出部５は、上記のようにして補正係数を反映させて算出された余命率に基づいて、希望切削時間に適応した切削条件を算出するように構成される。